(57)【要約】【課題】  安価で施工期間が短いタイル施工を立案して顧客に提示するタイル施工立案方法を提供する。【解決手段】  タイル施工対象面の撮影画像を第１記憶手段が記憶し、タイル施工対象面の画像を演算手段が第１記憶手段から読み出してタイル施工対象面の縦横寸法を特定し、第２記憶手段に予め記憶されたタイル規格寸法データファイルから短辺長さが所定の少なくとも１種のタイルを演算手段が読み出し、前記読み出したタイルを短辺がタイル施工対象面の両側端と面一になり目地幅が一定で且つ許容範囲に納まるように横一列に整数枚並べた時の前記一列に含まれる長辺長さ別のタイル枚数と目地幅とを演算手段が算出し、前記算出した枚数の前記読み出したタイルを前記算出した目地幅で演算手段が所定の配置で横方向に複数列配置してタイル施工対象面にタイルを割り付け、タイル施工対象面のタイル割付図を演算手段が表示手段に表示する。【選択図】  図２
2005275983.tif 000002
【特許請求の範囲】
【請求項１】
タイル施工対象面の撮影画像を第１記憶手段が記憶し、タイル施工対象面の画像を演算手段が第１記憶手段から読み出してタイル施工対象面の縦横寸法を特定し、第２記憶手段に予め記憶されたタイル規格寸法データファイルから短辺長さが所定の少なくとも１種のタイルを演算手段が読み出し、前記読み出したタイルを短辺がタイル施工対象面の両側端と面一になり目地幅が一定で且つ許容範囲に納まるように横一列に整数枚並べた時の前記一列に含まれる長辺長さ別のタイル枚数と目地幅とを演算手段が算出し、前記算出した枚数の前記読み出したタイルを前記算出した目地幅で演算手段が所定の配置で横方向に複数列配置してタイル施工対象面にタイルを割り付け、タイル施工対象面のタイル割付図を演算手段が表示手段に表示することを特徴とするコンピュータによるタイル施工立案方法。
【請求項２】
タイルの短辺長さと長辺長さとの１の組み合わせが入力手段を介して手動入力され、演算手段は入力された１の組み合わせに対応するタイルを含む少なくとも１種のタイルをタイル規格寸法データファイルから読み出すことを特徴とする請求項１に記載のコンピュータによるタイル施工立案方法。
【請求項３】
前記所定の配置は、入力手段を介して手動入力され、演算手段は入力された配置で、前記算出した枚数の前記読み出したタイルを前記算出した目地幅で横方向に複数列配置してタイル施工対象面にタイルを割り付けることを特徴とする請求項１又は２に記載のコンピュータによるタイル施工立案方法。
【請求項４】
第３記憶手段に予め記憶されたタイル単価データファイルから前記割り付けたタイルの単価を演算手段が読み出し、タイル施工対象面に割り付けたタイルの枚数と前記割り付けたタイルの単価とから演算手段がタイルの材料費を算出し、タイルの材料費を演算手段が表示手段に表示することを特徴とする請求項１乃至３の何れか１項に記載のコンピュータによるタイル施工立案方法。
【請求項５】
第３記憶手段に予め記憶されたタイル単価データファイルには色と模様の相違によるタイル単価の相違データが含まれており、タイルの色と模様とが入力手段を介して手動入力され、演算手段は入力された色と模様のタイルを割り付けたタイル施工対象面のタイル割り付け図と、入力された色と模様に対応するタイルの材料費とを表示手段に表示することを特徴とする請求項４に記載のコンピュータによるタイル施工立案方法。
【請求項６】
第４記憶手段に予め記憶されたタイル施工枚数とタイル施工費との相関データファイルからタイル施工枚数とタイル施工費との相関データを演算手段が読み出し、タイル施工対象面に割り付けたタイルの枚数と前記相関データとに基づいて演算手段がタイルの施工費を算出し、タイルの施工費を演算手段が表示手段に表示することを特徴とする請求項１乃至５の何れか１項に記載のコンピュータによるタイル施工立案方法。
【請求項７】
第５記憶手段に予め記憶されたタイル施工枚数とタイル施工時間との相関データファイルからタイル施工枚数とタイル施工時間との相関データを演算手段が読み出し、タイル施工対象面に割り付けたタイルの枚数と前記相関データとに基づいて演算手段がタイルの施工時間を算出し、タイルの施工時間を演算手段が表示手段に表示することを特徴とする請求項１乃至６の何れか１項に記載のコンピュータによるタイル施工立案方法。
【請求項８】
第１記憶手段と、第２記憶手段と、演算手段と、表示手段と、入力手段とを備え、入力手段から入力されたタイル施工対象面の撮影画像を第１記憶手段が記憶し、タイル施工対象面の画像を演算手段が第１記憶手段から読み出してタイル施工対象面の縦横寸法を特定し、第２記憶手段に予め記憶されたタイル規格寸法データファイルから短辺長さが所定の少なくとも１種のタイルを演算手段が読み出し、前記読み出したタイルを短辺がタイル施工対象面の両側端と面一になり目地幅が一定で且つ許容範囲に納まるように横一列に整数枚並べた時の前記一列に含まれる長辺長さ別のタイル枚数と目地幅とを演算手段が算出し、前記算出した枚数の前記読み出したタイルを前記算出した目地幅で演算手段が所定の配置で横方向に複数列配置してタイル施工対象面にタイルを割り付け、タイル施工対象面のタイル割付図を演算手段が表示手段に表示することを特徴とするタイル施工立案システム。
【発明の詳細な説明】
【技術分野】
【０００１】
本発明は、タイル施工立案方法及びタイル施工立案システムに関するものである。
【背景技術】
【０００２】
種々のタイル施工方法が例えば特許文献１等に開示されている。
【特許文献１】特許第３１５４３５４号公報
【発明の開示】
【発明が解決しようとする課題】
【０００３】
タイル施工対象面にタイルを貼付する際に、タイル施工対象面の側端とタイル短辺とを面一にするために、一部を切り欠いたタイルを前記側端に貼付して、端部調整をする場合がある。硬いタイルの一部を所望量切り欠くのは手間の掛かる作業であり、施工費増と施工時間増とを引き起こす。
本発明は上記問題に鑑みてなされたものであり、安価で施工時間が短いタイル施工を立案して顧客に提示するタイル施工立案方法及びタイル施工立案システムを提供することを目的とする。
【課題を解決するための手段】
【０００４】
上記課題を解決するために、本発明においては、タイル施工対象面の撮影画像を第１記憶手段が記憶し、タイル施工対象面の画像を演算手段が第１記憶手段から読み出してタイル施工対象面の縦横寸法を特定し、第２記憶手段に予め記憶されたタイル規格寸法データファイルから短辺長さが所定の少なくとも１種のタイルを演算手段が読み出し、前記読み出した短辺長さが所定の少なくとも１種のタイルを短辺がタイル施工対象面の両側端と面一になり目地幅が一定で且つ許容範囲に納まるように横一列に整数枚並べた時の前記一列に含まれる長辺長さ別のタイル枚数と目地幅とを演算手段が算出し、前記算出した枚数の前記読み出したタイルを前記算出した目地幅で演算手段が所定の配置で横方向に複数列配置してタイル施工対象面にタイルを割り付け、タイル施工対象面のタイル割付図を演算手段が表示手段に表示することを特徴とするコンピュータによるタイル施工立案方法を提供する。
本発明においては、第１記憶手段と、第２記憶手段と、演算手段と、表示手段と、入力手段とを備え、入力手段から入力されたタイル施工対象面の撮影画像を第１記憶手段が記憶し、タイル施工対象面の画像を演算手段が第１記憶手段から読み出してタイル施工対象面の縦横寸法を特定し、第２記憶手段に予め記憶されたタイル規格寸法データファイルから短辺長さが所定の少なくとも１種のタイルを演算手段が読み出し、前記読み出したタイルを短辺がタイル施工対象面の両側端と面一になり目地幅が一定で且つ許容範囲に納まるように横一列に整数枚並べた時の前記一列に含まれる長辺長さ別のタイル枚数と目地幅とを演算手段が算出し、前記算出した枚数の前記読み出したタイルを前記算出した目地幅で演算手段が所定の配置で横方向に複数列配置してタイル施工対象面にタイルを割り付け、タイル施工対象面のタイル割付図を演算手段が表示手段に表示することを特徴とするタイル施工立案システムを提供する。
本発明においては、タイル規格寸法データファイルから短辺長さが所定の少なくとも１種のタイルを演算手段が読み出し、前記読み出した少なくとも１種のタイルを横一列に整数枚並べた配列であって、タイルの短辺がタイル施工対象面の両側端と面一になり目地幅が一定で且つ許容範囲に納まる配列を演算手段が算出し、当該配列に基づいてタイル施工対象面に演算手段がタイルを割り付け、タイル施工対象面のタイル割付図を演算手段が表示手段に表示するので、端部調整が不要な、安価で施工時間が短いタイル施工を立案して顧客に提示することが可能である。
【０００５】
本発明の好ましい態様においては、タイルの短辺長さと長辺長さとの１の組み合わせが入力手段を介して手動入力され、演算手段は入力された１の組み合わせに対応するタイルを含む少なくとも１種のタイルをタイル規格寸法データファイルから読み出す。
顧客が所望するタイルの短辺長さと長辺長さとの１の組み合わせを入力手段を介して手動入力し、当該１の組み合わせに対応するタイルを含む少なくとも１種のタイルを用いて、タイルの短辺がタイル施工対象面の両側端と面一になり目地幅が一定で且つ許容範囲に納まる整数枚のタイルの配列を演算手段が算出することにより、顧客が所望するタイルが使用され顧客の意志が反映されたタイル施工を立案して顧客に提示することが可能になる。
【０００６】
本発明の好ましい態様においては、前記所定の配置は、入力手段を介して手動入力され、演算手段は入力された配置で、前記算出した枚数の前記読み出したタイルを前記算出した目地幅で横方向に複数列配置してタイル施工対象面にタイルを割り付ける。
短辺長さが所定の１種のタイルを用いたのでは、タイルの短辺がタイル施工対象面の両側端と面一になり目地幅が一定で且つ許容範囲に納まる整数枚のタイルの配列を形成できないが、短辺長さが所定で長辺長さが異なる複数種のタイルを用いると、タイルの短辺がタイル施工対象面の両側端と面一になり目地幅が一定で且つ許容範囲に納まる整数枚のタイルの配列を形成できる場合、前記複数種のタイルを前記一定の目地幅で横方向に複数列配置してタイル施工対象面にタイルを割り付ける際に、複数種のタイルの横方向の並べ方、すなわち複数種のタイルの配置を決定する必要がある。顧客が所望する配置を入力手段を介して手動入力し、演算手段が、入力された配置で、複数種のタイルを横方向に複数列配置してタイル施工対象面にタイルを割り付けることにより、顧客が所望するタイル配置が採用され顧客の意志が反映されたタイル施工を立案して顧客に提示することが可能になる。
【０００７】
本発明の好ましい態様においては、第３記憶手段に予め記憶されたタイル単価データファイルから前記割り付けたタイルの単価を演算手段が読み出し、タイル施工対象面に割り付けたタイルの枚数と前記割り付けたタイルの単価とから演算手段がタイルの材料費を算出し、タイルの材料費を演算手段が表示手段に表示する。
タイル施工対象面のタイル割付図に加えて、タイルの材料費が表示されれば、顧客にとって便利である。
【０００８】
本発明の好ましい態様においては、第３記憶手段に予め記憶されたタイル単価データファイルには色と模様の相違によるタイル単価の相違データが含まれており、タイルの色と模様とが入力手段を介して手動入力され、演算手段は入力された色と模様のタイルを割り付けたタイル施工対象面のタイル割り付け図と、入力された色と模様に対応するタイルの材料費とを表示手段に表示する。
顧客の好みに合わせた色と模様のタイルを割り付けたタイル施工対象面のタイル割り付け図と、入力された色と模様に対応するタイルの材料費とが表示されれば、顧客にとって便利である。
【０００９】
本発明の好ましい態様においては、第４記憶手段に予め記憶されたタイル施工枚数とタイル施工費との相関データファイルからタイル施工枚数とタイル施工費との相関データを演算手段が読み出し、タイル施工対象面に割り付けたタイルの枚数と前記相関データとに基づいて演算手段がタイルの施工費を算出し、タイルの施工費を演算手段が表示手段に表示する。
タイル施工対象面のタイル割り付け図に加えて、タイルの施工費が表示されれば、顧客にとって便利である。
【００１０】
本発明の好ましい態様においては、第５記憶手段に予め記憶されたタイル施工枚数とタイル施工時間との相関データファイルからタイル施工枚数とタイル施工時間との相関データを演算手段が読み出し、タイル施工対象面に割り付けたタイルの枚数と前記相関データとに基づいて演算手段がタイルの施工時間を算出し、タイルの施工時間を演算手段が表示手段に表示する。
タイル施工対象面のタイル割り付け図に加えて、タイルの施工時間が表示されれば、顧客にとって便利である。
【発明の効果】
【００１１】
本発明においては、タイル規格寸法データファイルから短辺長さが所定の少なくとも１種のタイルを演算手段が読み出し、前記読み出した少なくとも１種のタイルを横一列に整数枚並べた配列であって、タイルの短辺がタイル施工対象面の両側端と面一になり目地幅が一定で且つ許容範囲に納まる配列を演算手段が算出し、当該配列に基づいてタイル施工対象面に演算手段がタイルを割り付け、タイル施工対象面のタイル割付図を演算手段が表示手段に表示するので、端部調整が不要な、安価で施工期間が短いタイル施工を立案して顧客に提示することが可能である。
【発明を実施するための最良の形態】
【００１２】
本発明の実施例に係るコンピュータによるタイル施工立案方法を説明する。
【実施例１】
【００１３】
本実施例に係るタイル施工立案方法は、図１に示す装置Ａを用いて実施される。装置Ａは、入力装置１と、中央処理装置２と、メモリ３と、表示装置４とを備えている。メモリ３には、タイル施工立案方法を実施するための制御プログラムと、ＪＩＳにより規定されたタイルの短辺長さと長辺長さの組み合わせの一覧表であるタイル規格寸法データファイルと、タイル規格寸法データファイルに格納された各寸法毎のタイル単価の一覧表であるタイル単価データファイルと、タイル施工枚数とタイル施工費との相関データの一覧表であるタイル施工枚数とタイル施工費との相関データファイルと、タイル施工枚数とタイル施工時間との相関データの一覧表であるタイル施工枚数とタイル施工時間との相関データファイルとが予め記憶されている。タイル単価データファイルには、色と模様と肌合いの相違によるタイル単価の相違データが含まれている。
【００１４】
中央処理装置２は、メモリ３の制御プログラムの指令を受けて、以下の手順でタイル施工を立案し顧客２００に提示する。
手順１：
タイル施工のアドバイザー１００は、図１に示すように、既知長さの長尺物５を貼付したタイル施工対象面６を含む壁面をデジタルカメラ７で撮影し、入力装置１を用いて撮影画像を装置Ａに入力する。中央処理装置２は、入力された画像をメモリ３に記憶させる。
手順２：
中央処理装置２は、メモリ３からタイル施工対象面６を含む壁面の画像を読み出して表示装置４に表示し、顧客２００は、前記画像を見ながら入力装置１を用いてタイル施工対象面６を特定し、中央処理装置２は、長尺物５を参照してタイル施工対象面６の縦横寸法を特定する。
手順３：
中央処理装置２は、タイル規格寸法データファイルとタイル単価データファイルの内容を表示装置４に表示する。顧客２００は、表示装置４に表示されたデータファイルの内容を参照しつつ、入力装置１を用いて、所望の１のタイル寸法（縦横寸法）と所望の１のタイルの色と模様と肌合いとを、装置Ａに入力する。
中央処理装置２は、通し目地、馬踏み目地などのタイル配列基本パターンの選択を促すメッセージを表示装置４に表示する。顧客２００は、入力装置１を用いて、タイル配列基本パターンを選択する。
【００１５】
手順４：
中央処理装置２は、入力された寸法の第１のタイルをタイル規格寸法データファイルから読み出し、図２（ａ）に示すように、第１のタイルＴ１を横一列に整数枚並べた配列であって、タイルの短辺ａがタイル施工対象面６の両側端と面一になり目地幅ｂが一定で且つ許容範囲（例えば５ｍｍ≦ｂ≦１０ｍｍ）に納まる配列を、下式に基づいて算出する。
ｎ１Ｌ１＋ｂ（ｎ１−１）＝Ｌ０
ｎ１：第１のタイルＴ１の枚数（整数）
Ｌ１：第１のタイルＴ１の長辺寸法
Ｌ０：タイル施工対象面６の横寸法
第１のタイルでは、上記配列を実現できない時は、中央処理装置２は、短辺寸法が第１のタイルＴ１と同一で、長辺寸法が第１のタイルＴ１と異なる第２のタイルＴ２をタイル規格寸法データファイルから読み出し、図２（ｂ）に示すように、第１のタイルＴ１と第２のタイルＴ２とを用いて、タイルを横一列に整数枚並べた配列であって、タイルの短辺ａがタイル施工対象面６の両側端と面一になり目地幅ｂが一定で且つ許容範囲（例えば５ｍｍ≦ｂ≦１０ｍｍ）に納まる配列を、下式に基づいて算出する。
ｎ１Ｌ１＋ｎ２Ｌ２＋ｂ（ｎ１＋ｎ２−１）＝Ｌ０
ｎ１：第１のタイルＴ１の枚数（整数）
ｎ２：第２のタイルＴ２の枚数（整数）
Ｌ１：第１のタイルＴ１の長辺寸法
Ｌ２：第１のタイルＴ２の長辺寸法
Ｌ０：タイル施工対象面の横寸法
第１のタイルＴ１と第２のタイルＴ２の組み合わせでは、上記配列を実現できない時は、中央処理装置２は、短辺寸法が第１のタイルＴ１と同一で、長辺寸法が第１のタイルＴ１及び第２のタイルＴ２と異なる第３のタイルＴ３をタイル規格寸法データファイルから読み出し、図２（ｃ）に示すように、第１のタイルＴ１と第２のタイルＴ２と第３のタイルＴ３とを用いて、タイルを横一列に整数枚並べた配列であって、タイルの短辺ａがタイル施工対象面６の両側端と面一になり目地幅ｂが一定で且つ許容範囲（例えば５ｍｍ≦ｂ≦１０ｍｍ）に納まる配列を、下式に基づいて算出する。
ｎ１Ｌ１＋ｎ２Ｌ２＋ｎ３Ｌ３＋ｂ（ｎ１＋ｎ２＋ｎ３−１）＝Ｌ０
ｎ１：第１のタイルＴ１の枚数（整数）
ｎ２：第２のタイルＴ２の枚数（整数）
ｎ３：第３のタイルＴ３の枚数（整数）
Ｌ１：第１のタイルＴ１の長辺寸法
Ｌ２：第２のタイルＴ２の長辺寸法
Ｌ３：第３のタイルＴ３の長辺寸法
Ｌ０：タイル施工対象面の横寸法
中央処理装置２は、短辺寸法が第１のタイルＴ１と同一であるという条件下で、第１のタイルＴ１と組み合わせるタイルの種類数を順次増やすことにより、タイルを横一列に整数枚並べた配列であって、タイルの短辺ａがタイル施工対象面６の両側端と面一になり目地幅ｂが一定で且つ許容範囲（例えば５ｍｍ≦ｂ≦１０ｍｍ）に納まる配列を実現する。
【００１６】
手順５：
中央処理装置２は、タイルを横一列に整数枚並べた配列であって、タイルの短辺ａがタイル施工対象面６の両側端と面一になり目地幅ｂが一定で且つ許容範囲（例えば５ｍｍ≦ｂ≦１０ｍｍ）に納まる配列を実現した後、前記横一列に含まれるタイルの長辺寸法Ｌ１、Ｌ２、Ｌ３・・・・と、タイル枚数ｎ１、ｎ２、ｎ３・・・・と目地幅ｂとをメモリ３に記憶させると共に、表示装置４に表示する。
手順６：
複数種類のタイル長辺寸法Ｌ１、Ｌ２、Ｌ３が表示装置４に表示された場合には、顧客２００は、複数種のタイルの横方向の並べ方、すなわち複数種のタイルの配置を決定し、決定した所望の配置を入力装置１を用いて装置Ａに入力する。タイル長辺寸法の異なる複数種のタイルの配置として、タイル長辺寸法の分布をできるだけ均一にする配置、長辺寸法の小さなタイルを両端部に配し長辺寸法の大きなタイルを中央部に配する配置、長辺寸法の大きなタイルを両端部に配し長辺寸法の小さなタイルを中央部に配する配置、所定の並べ方を繰り返す配置等が考えられる。タイル長辺寸法の分布をできるだけ均一にする配置、長辺寸法の小さなタイルを両端部に配し長辺寸法の大きなタイルを中央部に配する配置、長辺寸法の大きなタイルを両端部に配し長辺寸法の小さなタイルを中央部に配する配置等は、タイル施工対象面の美感を高める利点を有し、所定の並べ方を繰り返す配置は、ユニット化によるタイル施工コストの低減を可能にする利点を有する。
【００１７】
手順７：
中央処理装置２は、手順３で顧客２００が通し目地を選択していた場合には、手順４で実現した横一列の配列に含まれる長辺寸法Ｌ１、Ｌ２、Ｌ３・・・・のタイルＴ１、Ｔ２、Ｔ３・・・・を、ｎ１、ｎ２、ｎ３・・・・枚、前記配列の目地幅ｂで、且つ手順６で顧客２００が入力した顧客２００所望の配置で、横方向に複数列配置して、図３（ａ）に示すように、タイル施工対象面６にタイルを通し目地で割り付け、タイル施工対象面６のタイル割付図を表示装置４に表示する。
中央処理装置２は、手順３で顧客２００が馬踏み目地を選択していた場合には、手順４で実現した横一列の配列に含まれる長辺寸法Ｌ１、Ｌ２、Ｌ３・・・・のタイルＴ１、Ｔ２、Ｔ３・・・・を、ｎ１、ｎ２、ｎ３・・・・枚、前記配列の目地幅ｂで、且つ手順６で顧客２００が入力した顧客２００所望の配置で、横方向に一列に配置した列と、前記列と同一配置の列であるが縦方向の目地を蛇行させるために前記列に対して横方向にずらした列と、を交互に縦方向に複数列配置し、図３（ｂ）に示すように、タイル施工対象面６にタイルを馬踏み目地で割り付け、タイル施工対象面６のタイル割付図を表示装置４に表示する。
中央処理装置２は更に、タイル施工対象面６に割り付けたタイルＴ１、Ｔ２、Ｔ３・・・・の長辺長さ別の枚数ｎ１、ｎ２、ｎ３・・・・と、メモリ３に予め記憶したタイル単価データファイルから読み出した、前記割り付けたタイルＴ１、Ｔ２、Ｔ３・・・・の単価（顧客２００が所望した色、模様のタイルの単価）とからタイルの材料費を算出し、タイルの材料費を表示装置４に表示する。
中央処理装置２は更に、タイル施工対象面６に割り付けたタイルＴ１、Ｔ２、Ｔ３・・・・の総枚数ｎ１＋ｎ２＋ｎ３＋・・・と、メモリ３に予め記憶したタイル施工枚数とタイル施工費との相関データファイルから読み出した、タイル施工枚数とタイル施工費との相関データとから、タイルの施工費を算出し、タイルの施工費を表示装置４に表示する。
中央処理装置２は更に、タイル施工対象面６に割り付けたタイルＴ１、Ｔ２、Ｔ３・・・・の総枚数ｎ１＋ｎ２＋ｎ３＋・・・と、メモリ３に予め記憶したタイル施工枚数とタイル施工時間との相関データファイルから読み出した、タイル施工枚数とタイル施工時間との相関データとから、タイルの施工時間を算出し、タイルの施工時間を表示装置４に表示する。
【００１８】
本実施例に係るタイル施工立案方法においては、中央処理装置２が、タイル施工対象面６にタイルを横一列に整数枚並べた配列であって、タイルの短辺ａがタイル施工対象面６の両側端と面一になり目地幅ｂが一定で且つ許容範囲に納まる配列を算出し、当該配列に基づいてタイル施工対象面６にタイルを割り付け、タイル施工対象面６のタイル割付図を表示装置４に表示するので、端部調整が不要な、安価で施工時間が短いタイル施工を立案して顧客２００に提示することが可能である。
本実施例に係るタイル施工立案方法においては、中央処理装置２が、タイル施工対象面６のタイル割付図に加えて、タイルの材料費も表示装置４に表示するので、顧客２００にとって便利である。
本実施例に係るタイル施工立案方法においては、中央処理装置２が、顧客２００の好みに合わせた色と模様のタイルを割り付けたタイル施工対象面６のタイル割り付け図と、顧客２００の好みに合わせた色と模様のタイルの材料費を表示装置４に表示するので、顧客２００にとって便利である。
本実施例に係るタイル施工立案方法においては、中央処理装置２が、タイル施工対象面６のタイル割り付け図に加えて、タイルの施工費も表示装置４に表示するので、顧客２００にとって便利である。
本実施例に係るタイル施工立案方法においては、中央処理装置２が、タイル施工対象面６のタイル割り付け図に加えて、タイルの施工時間も表示装置４に表示するので、顧客２００にとって便利である。
【００１９】
本実施例に係るタイル施工立案方法においては、所望するタイルの短辺長さと長辺長さとの１の組み合わせを入力装置１を介して顧客２００が手動入力し、当該１の組み合わせに対応するタイルを含む少なくとも１種のタイルを用いて、タイルの短辺ａがタイル施工対象面６の両側端と面一になり目地幅ｂが一定で且つ許容範囲に納まる整数枚のタイルの配列を中央処理装置２が算出し、当該配列を用いたタイル施工対象面６のタイル割付図を、表示装置４に表示するので、顧客２００が所望するタイルが使用され顧客２００の意志が反映されたタイル施工を立案して顧客２００に提示することができる。
本実施例に係るタイル施工立案方法においては、短辺長さが所定で長辺長さが異なる複数種のタイルを用いて、タイルの短辺ａがタイル施工対象面６の両側端と面一になり目地幅ｂが一定で且つ許容範囲に納まる整数枚のタイルの配列を形成する場合、前記複数種のタイルの所望の配置を入力装置１を介して顧客２００が手動入力し、中央処理装置２が、入力された配置を用いたタイル施工対象面６のタイル割付図を、表示装置４に表示するので、顧客２００が所望するタイル配置が使用され顧客２００の意志が反映されたタイル施工を立案して顧客２００に提示することができる。
【００２０】
タイル規格寸法データファイルとタイル単価データファイルとを合体させて、タイル寸法、色や模様や肌合いなどのタイル意匠情報、タイル単価、タイル品番などを格納したタイル商品情報データファイルとしても良い。
手順３において、表示装置４に表示されたタイル規格寸法データファイルとタイル単価データファイルの内容を顧客が参照するのに代えて、印刷物であるカタログに記載されたタイル規格寸法データとタイル単価データ（色と模様と肌合いの相違による単価の相違のデータを含む単価データ）とを顧客が参照するようにしても良い。
手順２において、顧客２００が入力装置１を用いてタイル施工対象面６を特定するのに代えて、タイル施工対象面６を特定する目印を予め取り付けた壁面を撮影し、中央処理装置２が、前記目印を参照してタイル施工対象面６を特定するようにしても良い。
手順２において、中央処理装置２が、長尺物５を参照して、タイル施工対象面６の縦横寸法を特定するのに代えて、顧客２００又は商品アドバイザー１００が、入力装置１を用いてタイル施工対象面６の縦横寸法を入力するようにしても良い。
タイル規格寸法データファイル、タイル単価データファイル、タイル施工枚数とタイル施工費との相関データファイル、タイル施工枚数とタイル施工時間との相関データファイルを、インターネットを介してサーバのメモリから入手し、或いはＤＶＤ、ＣＤなどの可搬記録媒体から入手するようにしても良い。
【産業上の利用可能性】
【００２１】
本発明は、タイル施工を立案する際に、使用可能である。
【図面の簡単な説明】
【００２２】
【図１】本発明の実施例に係るタイル施工立案方法を実施する装置のシステム構成図である。
【図２】タイルの横一列の配列の一例を示す図である。
【図３】タイル割付図の一例を示す図である。（ａ）は通し目地のタイル割付図であり、（ｂ）は馬踏み目地のタイル割付図である。
【符号の説明】
【００２３】
Ａ  タイル施工立案方法を実施する装置
１  入力装置
２  中央処理装置
３  メモリ
４  表示装置
５  既知長さの長尺物
６  タイル施工対象面
７  デジタルカメラ
【図１】
2005275983.tif 000003
【図２】
2005275983.tif 000004
【図３】
2005275983.tif 000005